(57)【要約】【課題】種々大きさが異なる化粧箱と一緒に商品を収容可能な緩衝機能を有する輸送箱を提供する。【解決手段】化粧箱２Ａ，２Ｂの外側面を覆う同一角数の側壁１１Ａ〜１１Ｄと、該側壁１１Ａ〜１１Ｄの底面を閉塞する底蓋１６と、側壁１１Ａ〜１１Ｄのうち１つの側壁１１Ｄの上端に連設した天蓋２１とを備え、天蓋２１を連設した側壁１１Ｄを除く少なくとも２以上の側壁１１Ａ〜１１Ｃの上端に、該側壁１１Ａ〜１１Ｃに連続する連続面２６ａと、該連続面２６ａと連続する調整面２６ｂとからなる緩衝部２６Ａ〜２６Ｃを連設する。または、少なくとも２以上の側壁１１Ａ〜１１Ｄに、内向きに折り曲げて内部に収容した化粧箱２Ａ，２Ｂの外側面を押圧する緩衝用切起部３２を設ける。【選択図】  図１
2004224373.tif 000002
【特許請求の範囲】
【請求項１】
商品を収容した断面多角形状の化粧箱を輸送用に収容する輸送箱であって、
前記化粧箱の外側面を覆う同一角数の側壁と、該側壁の底面を閉塞する底蓋と、前記側壁のうち１つの側壁の上端に連設した天蓋とを備え、
前記天蓋を連設した側壁を除く少なくとも２以上の側壁の上端に、該側壁に連続する連続面と、該連続面と連続する調整面とからなる緩衝部を連設し、
内部に収容する前記化粧箱の大きさに応じ、連続面と調整面とを屈曲させた状態で側壁内に折り曲げる第１収容状態と、連続面と調整面とを平面状として側壁内に折り曲げる第２収容状態とに変更可能としたことを特徴とする輸送箱。
【請求項２】
商品を収容した断面多角形状の化粧箱を輸送用に収容する輸送箱であって、
前記化粧箱の外側面を覆う同一角数の側壁と、該側壁の底面を閉塞する底蓋と、前記側壁のうち１つの側壁の上端に連設した天蓋とを備え、
少なくとも２以上の側壁に、内向きに折り曲げて内部に収容した前記化粧箱の外側面を押圧する緩衝用切起部を設けたことを特徴とする輸送箱。
【請求項３】
前記化粧箱は、４以上の偶数角の多角形状であり、前記緩衝用切起部は、少なくとも対角に位置する前記側壁の稜部において、該稜部の両側にそれぞれ設けられていることを特徴とする請求項２に記載の輸送箱。
【発明の詳細な説明】
【０００１】
【発明の属する技術分野】
本発明は、ギフトとして送るお酒などの商品を収容した所定の化粧箱を収容するための輸送箱に関するものである。
【０００２】
【従来の技術】
従来、ギフト商品を宅配便などで輸送する場合には、各商品毎または販売店毎に予め用意された化粧箱に収容され、更に包装紙により包んだ状態で行われている。
【０００３】
【発明が解決しようとする課題】
しかしながら、ギフト商品が瓶に収容させたお酒である場合、輸送時の衝撃で瓶が割れるという問題が生じている。この問題を解決するためには、緩衝機能を有する化粧箱の内部に商品を収容させることが考えられるが、この場合、各商品毎または販売店毎に工夫した化粧箱を使用できないため、現実的ではない。
【０００４】
そこで、本発明では、種々大きさが異なる化粧箱と一緒に商品を収容可能な緩衝機能を有する輸送箱を提供することを課題とするものである。
【０００５】
【課題を解決するための手段】
前記課題を解決するため、本発明の第１の輸送箱は、商品を収容した断面多角形状の化粧箱を輸送用に収容する輸送箱であって、前記化粧箱の外側面を覆う同一角数の側壁と、該側壁の底面を閉塞する底蓋と、前記側壁のうち１つの側壁の上端に連設した天蓋とを備え、前記天蓋を連設した側壁を除く少なくとも２以上の側壁の上端に、該側壁に連続する連続面と、該連続面と連続する調整面とからなる緩衝部を連設し、内部に収容する前記化粧箱の大きさに応じ、連続面と調整面とを屈曲させた状態で側壁内に折り曲げる第１収容状態と、連続面と調整面とを平面状として側壁内に折り曲げる第２収容状態とに変更可能に構成している。
【０００６】
この第１の輸送箱によれば、緩衝部を第１収容状態または第２収容状態として、内部に化粧箱を収容させることにより、化粧箱の差を吸収し、確実に収容することができる。また、化粧箱と一緒に商品を収容させた状態では、側壁に連設した緩衝部が原状に復帰しようとするため、その力が化粧箱の外側面に加わり、内向きに押圧する。その結果、化粧箱は、輸送箱内における略中央に所定の隙間をもって位置決めされる。そのため、この状態で、輸送箱の側方から衝撃が加わったり、振動が加わった場合には、その衝撃や振動を緩衝部で吸収することができる。
【０００７】
また、本発明の第２の輸送箱は、商品を収容した断面多角形状の化粧箱を輸送用に収容する輸送箱であって、前記化粧箱の外側面を覆う同一角数の側壁と、該側壁の底面を閉塞する底蓋と、前記側壁のうち１つの側壁の上端に連設した天蓋とを備え、少なくとも２以上の側壁に、内向きに折り曲げて内部に収容した前記化粧箱の外側面を押圧する緩衝用切起部を設けた構成としている。
【０００８】
この第２の輸送箱では、前記化粧箱は４以上の偶数角の多角形状であり、前記緩衝用切起部は、対角に位置する前記側壁の稜部において、該稜部の両側にそれぞれ設けられていることが好ましい。
【０００９】
この第２の輸送箱によれば、内部に化粧箱を収容させることにより、緩衝用切起部が下向きに押し下げられた状態をなす。そのため、前記と同様に、化粧箱の差を吸収し、確実に収容することができるうえ、化粧箱と一緒に商品を収容させた状態で衝撃や振動が加わった場合には、その衝撃や振動を緩衝用切起部で吸収することができる。
【００１０】
【発明の実施の形態】
以下、本発明の実施の形態を図面に従って説明する。
図１から図４は、本発明の第１実施形態に係る輸送箱１０を示す。この輸送箱１０は、商品１を収容した断面多角形状の化粧箱２Ａ，２Ｂを輸送用に収容するもので、紙器打抜装置（図示せず）によって段ボール紙を図４に示す連続した一枚のブランクとして打ち抜いて成形される。なお、前記段ボール紙は、一対の表紙と裏紙との間に波状の中しんを配設したものである。
【００１１】
ここで、図１（Ａ），（Ｂ）に示すように、本実施形態に適用した商品１は、内部にお酒を収容させたガラス製の瓶（１升瓶）である。また、図１（Ａ）に示す化粧箱２Ａは、肉厚が薄い段ボール紙などにより形成したもので、その形状は断面４角形状をなし、全高は商品１と略同一高さである。図１（Ｂ）に示す化粧箱２Ｂは、肉厚が厚い厚紙などにより形成したもので、その形状は化粧箱２Ａと同様に断面４角形状をなすが、その肉厚分、前後、左右、および、上下方向に大きい。前記化粧箱２Ａは、表面に希望に応じて印刷を施すことが可能であり、装飾性に優れているが、商品１への緩衝能力は乏しい。前記化粧箱２Ｂは、高級感を与えることができ、また、化粧箱２Ａと比較して緩衝能力は優れている。
【００１２】
本実施形態の輸送箱１０のブランクは、図４に示すように、化粧箱２Ａ，２Ｂと同一角数となるように連続して設けた４つの側壁１１Ａ，１１Ｂ，１１Ｃ，１１Ｄを備えている。これら側壁１１Ａ〜１１Ｄの境界部分には、段ボール紙に罫を入れて形成した折曲線１２が設けられている。最も左側に位置する側壁１１Ａの側縁には、糊代部１３が連設され、その境界部分に前記と同様の折曲線１４が設けられている。
【００１３】
前記側壁１１Ａ〜１１Ｃの下端には、緩衝用の積層フラップ１５Ａ，１５Ｂ，１５Ｃが設けられ、側壁１１Ｄの下端には、底蓋１６が設けられている。また、この底蓋１６を連設した側壁１１Ｄと組立状態で対向する側壁１１Ｂの下部には、底蓋１６を挿入係止するための底蓋用係止穴１７が円弧状の打ち抜きにより形成されている。前記側壁１１Ａ〜１１Ｃと積層フラップ１５Ａ〜１５Ｃ、および、側壁１１Ｄと底蓋１６との境界部分には、段ボール紙の略肉厚分の段差が生じるように所定間隔をもって折曲線１８が設けられている。
【００１４】
一番目に折り曲げられ、最も内側に位置する積層フラップ１５Ａの先端には、底面を開放する際に指を挿入して引っ掛けるための切落部１９が半円形状に設けられている。
【００１５】
最後に折り曲げられ、最も外側に位置する底蓋１６は、側壁１１Ｄと連続する底面部１６ａと、該底面部１６ａに連続して対向する側壁１１Ｂの下部に被覆する立上部１６ｂと、該立上部１６ｂの先端中央に連続して前記係止穴に挿入係止される係止突片１６ｃとからなり、これらの境界部分には折曲線２０が設けられている。ここで、この係止突片１６ｃの内方への突出長さは、外形が小さい化粧箱２Ａを内部に収容した状態で、該化粧箱２Ａの外側面に当接する寸法に設定されている。
【００１６】
前記側壁１１Ａ〜１１Ｄのうち、１つの側壁１１Ｄの上端には天面を閉塞する天蓋２１が連設され、その境界部分には折曲線２２が設けられている。この天蓋２１は、側壁１１Ｄと連続する天面部２１ａと、該天面部２１ａと連続して対向する側壁１１Ｂの内面側に挿入する挿入部２１ｂとからなり、これらの間には折曲線２３が設けられている。また、この天蓋２１には、後述するロック片２９を挿入係止するロック穴２４を形成するための切落溝２５が設けられている。この切落溝２５は、ロック片２９による係止状態を解除する際に指を当てるための半円形状の切欠部２５ａを有する。
【００１７】
本実施形態では、前記側壁１１Ａ〜１１Ｄのうち、天蓋２１を連設した側壁１１Ｄを除く全ての側壁１１Ａ〜１１Ｃの上端に、内部に商品１と一緒に収容する化粧箱２Ａ，２Ｂを位置決めするとともに、外部からの衝撃を緩衝するための緩衝部２６Ａ，２６Ｂ，２６Ｃが設けられ、その境界部分に折曲線２７が設けられている。この緩衝部２６Ａ〜２６Ｃは、各側壁１１Ａ〜１１Ｃに連続する連続面２６ａと、該連続面２６ａと連続する調整面２６ｂとからなり、これらの側縁は、基端部から先端にかけて幅が狭まるように傾斜されている。調整面２６ｂの先端中央には、組立状態での上端開口を開放する際に指を引っ掛けるための半円形状の切落部２６ｃが形成されている。また、これら連続面２６ａと調整面２６ｂとの境界部分には、段ボール紙に罫を入れて形成した折曲線と、該折曲線に沿って所定間隔をもって切断した切断線とからなるリード罫２８が設けられている。
【００１８】
なお、側壁１１Ｂおよび緩衝部２６Ｂには、前記天蓋２１のロック穴２４に挿入係止するロック片２９を形成するための切断線３０が両者に跨って略コ字形状に形成されるとともに、その両端にかけて折曲線３１ａが設けられるとともに、該折曲線３１ａと所定間隔をもって平行に折曲線３１ｂが設けられている。
【００１９】
また、本実施形態では、前記各側壁１１Ａ〜１１Ｄにおいて、その全高の中間部分に位置するように、内部に商品１と一緒に収容する化粧箱２Ａ，２Ｂを位置決めするとともに、外部からの衝撃を緩衝するための緩衝用切起部３２が設けられている。この緩衝用切起部３２は、隣接する側壁１１Ａ〜１１Ｄにおいて、これらの稜部となる折曲線１２，１４の両側に設けた扇形状のもので、その内方への突出長さは、外形が小さい化粧箱２Ａを内部に収容した状態で、該化粧箱２Ａの外側面に当接する寸法に設定されている。具体的には、緩衝用切起部３２は、折曲線１２を中心として半円形状に設けた第１切断線３３と、これらの端部にかけて設けた折曲線３４と、折曲線１２に沿って第１切断線３３と折曲線３４との間に設けた第２切断線３５とを設けることにより、折曲線１２の両側にそれぞれ設けられる。また、側壁１１Ａ，１１Ｄの端縁には、１／４の円弧状をなす第１切断線３３’と折曲線３４’とを設けることにより、折曲線１４の両側にそれぞれ設けられる。なお、糊代部１３において、前記第１切断線３３’と対応する領域は切り落とされている。
【００２０】
このような形状で打ち抜かれた輸送箱１０のブランクは、糊代部１３に周知の接着剤を塗布した状態で、側壁１１Ａ，１１Ｂの間の折曲線１２に沿って側壁１１Ａを折り曲げた後、側壁１１Ｃ，１１Ｄの間の折曲線１２に沿って側壁１１Ｄを折り曲げる。そして、重畳した糊代部１３と側壁１１Ｄの端部に所定の圧力を加えることにより、その重畳した肉厚を圧縮するとともに、互いに接着する。なお、この状態で、輸送箱１０は、所定の販売店などに出荷される。
【００２１】
この輸送箱１０を使用する場合には、図３（Ａ）に示すように、まず、側壁１１Ａ〜１１Ｄにより囲繞された底面を閉塞する。具体的には、側壁１１Ａ〜１１Ｃの境界である折曲線１８が最も上部に位置する積層フラップ１５Ａから順番に、各積層フラップ１５Ａ〜１５Ｃを内向きに折り曲げる。その後、図３（Ｂ）に示すように、底蓋１６を折り曲げ、底面部１６ａによって積層フラップ１５Ｃの外面を被覆するとともに、立上部１６ｂを側壁１１Ｂの表面に立ち上げて、該側壁１１Ｂの係止穴に係止突片１６ｃを挿入係止する。
【００２２】
ついで、全ての緩衝用切起部３２を内向きに折り曲げる。これにより、側壁１１Ａ〜１１Ｄの内部では、図３（Ｂ）に示すように、側壁１１Ａ〜１１Ｄの稜部を境界として両側に形成された緩衝用切起部３２が上下に重畳した状態をなす。
【００２３】
この状態で、図１（Ａ）および図２（Ａ）に示すように、外形が小さい化粧箱２Ａを内部に収容させる場合には、各緩衝部２６Ａ〜２６Ｃの連続面２６ａと調整面２６ｂとをリード罫２８に沿って外向きに折り曲げる。その後、折曲線２７に沿って各緩衝部２６Ａ〜２６Ｃを内向きに折り曲げる。なお、各緩衝部２６Ａ〜２６Ｃは、折曲線２７に沿って側壁１１Ａ〜１１Ｄの内部に折り曲げた後に、リード罫２８に沿って折り曲げてもよい。
【００２４】
一方、図１（Ｂ）および図２（Ｂ）に示すように、外形が大きい化粧箱２Ｂを内部に収容させる場合には、各緩衝部２６Ａ〜２６Ｃの連続面２６ａおよび調整面２６ｂを折り曲げることなく、折曲線２７に沿って各緩衝部２６Ａ〜２６Ｃを側壁１１Ａ〜１１Ｄの内部に折り曲げる。
【００２５】
このように、断面形状が小さい化粧箱２Ａを収容する場合には、連続面２６ａと調整面２６ｂとを屈曲させた第１収容状態として、開放した輸送箱１０の上端開口から前記化粧箱２Ａを収容させる。また、断面形状が大きい化粧箱２Ｂを収容する場合には、連続面２６ａと調整面２６ｂとを平面状として屈曲させない第２収容状態として、開放した輸送箱１０の上端開口から前記化粧箱２Ｂを収容させる。
【００２６】
その後、従来と同様に、天蓋２１を折り曲げて、その先端のの挿入部２１ｂを対向する側壁１１Ｂ、具体的には、対向する緩衝部２６Ｂの内側に挿入する。そして、この挿入部２１ｂの挿入により形成されたロック穴２４に、ロック片２９を挿入係止することにより、開放した側壁１１Ａ〜１１Ｄの上端開口を天面部２１ａにより閉塞する。
【００２７】
この化粧箱２Ａ，２Ｂの収容状態では、図１（Ａ），（Ｂ）に示すように、底蓋１６の係止突片１６ｃに化粧箱２Ａ，２Ｂが当接し、該係止突片１６ｃが下向きに押し下げられて、逆Ｖ字形状に係止した状態になる。そのため、輸送箱１０を持ち上げることにより、積層フラップ１５Ａ〜１５Ｃを介して底蓋１６に下向きの力が加わっても、前記係止突片１６ｃが係止穴から離脱し、底蓋１６が開放されることを防止できる。
【００２８】
また、中間部分では、図２（Ａ），（Ｂ）に示すように、各稜部に設けた緩衝用切起部３２に化粧箱２Ａ，２Ｂが当接し、該緩衝用切起部３２が下向きに押し下げられた状態をなす。そして、各緩衝用切起部３２は原状に復帰しようとするため、その力が化粧箱２Ａ，２Ｂの外側面に加わり、内向きに押圧する。その結果、化粧箱２Ａ，２Ｂは、輸送箱内における略中央に所定の隙間をもって位置決めされる。
【００２９】
同様に、上部では、図１（Ａ），（Ｂ）に示すように、側壁１１Ａ〜１１Ｃに連設した緩衝部２６Ａ〜２６Ｃが原状に復帰しようとするため、その力が化粧箱２Ａ，２Ｂの外側面に加わり、内向きに押圧する。その結果、化粧箱２Ａ，２Ｂは、輸送箱１０内における略中央に所定の隙間をもって位置決めされる。
【００３０】
なお、このように商品１を収容した輸送箱１０を床や机の上に置いた場合、その際の衝撃は、積層した積層フラップ１５Ａ〜１５Ｃおよび底蓋１６により確実に吸収することができる。また、輸送箱１０の側方から衝撃が加わった場合、その際の衝撃は、中間部分の緩衝用切起部３２、および、上部の緩衝部２６Ａ〜２６Ｃにより確実に吸収することができる。同様に、輸送時に振動が加わった場合にも、その振動を緩衝用切起部３２および緩衝部２６Ａ〜２６Ｃにより吸収することができる。そのため、収容した商品１に外部からの衝撃が加わることを抑制でき、商品１の破損を確実に防止できる。
【００３１】
しかも、本実施形態では、前記緩衝部２６Ａ〜２６Ｃおよび緩衝用切起部３２により、断面形状が異なる化粧箱２Ａ，２Ｂでもその差を吸収し、確実に収容することができる。そのため、商品１の破損の問題を解消できるうえ、１つの輸送箱１０で各商品毎または販売店毎に工夫した化粧箱２Ａ，２Ｂをそのまま使用することができる。
【００３２】
さらに、本実施形態では、側壁１１Ａ〜１１Ｄに設けた緩衝用切起部３２は、把持用の穴としても使用することができる。そのため、持ち運びなどの作業性を向上することができる。
【００３３】
図５（Ａ），（Ｂ）および図６（Ａ），（Ｂ）は、第２実施形態の輸送箱１０を示す。この第２実施形態では、対向する一対の側壁１１Ｂ，１１Ｄの幅を大きく設定し、２つの化粧箱２Ａ，２Ｂを収容可能とした点で、第１実施形態と相違している。この第２実施形態の輸送箱１０では、断面形状が小さい輸送箱１０Ａを収容する場合には、図６（Ｂ）に示すように、裏紙のみを切断した所謂半切り状態の折曲線３６ａを中央に設けた長方形状の仕切部材３６を屈曲させて配設する。
【００３４】
このようにすれば、断面形状が異なる輸送箱１０Ａ，１０Ｂを１つの輸送箱１０に収容することができ、また、第１実施形態と同様の作用および効果を得ることができる。なお、図５（Ａ），（Ｂ）には、１つの輸送箱１０に同一の化粧箱２Ａ，２Ｂを収容させているが、異なる化粧箱２Ａ，２Ｂを収容させてもよい。
【００３５】
なお、本発明の輸送箱１０は、前記実施形態の構成に限定されるものではなく、種々の変更が可能である。
【００３６】
例えば、前記実施形態では、断面形状が小さい化粧箱２Ａを収容させる場合には、緩衝部２６Ａ〜２６Ｃの調整面２６ｂを内側に位置させて化粧箱２Ａ，２Ｂと当接させたが、前記調整面２６ｂを巻き込むように外側に位置させ、調整面２６ｂを側壁１１Ａ〜１１Ｃに当接させ、連続面２６ａを化粧箱２Ａ，２Ｂに当接させてもよい。
【００３７】
また、前記実施形態では、側壁１１Ａ〜１１Ｄの上端において、天蓋２１を連設した側壁１１Ｄを除く全ての側壁１１Ａ〜１１Ｃに緩衝部２６Ａ〜２６Ｃを設けたが、少なくとも２以上の側壁１１の上端に連設すれば、略同様の作用および効果を得ることができる。
【００３８】
同様に、前記実施形態では、隣接する側壁１１Ａ〜１１Ｄの全ての稜部の両側に緩衝用切起部３２を設けたが、少なくとも対角に位置する稜部に設ければよく、また、稜部の両側ではなく、一方のみでもよい。
【００３９】
さらに、緩衝用切起部３２は、隣接する側壁１１Ａ〜１１Ｄの稜部の側部に限られず、幅方向の中間位置に設けてもよい。
【００４０】
さらにまた、前記実施形態では、緩衝部２６Ａ〜２６Ｃは、側壁１１Ａ〜１１Ｃと連続する連続面２６ａと調整面２６ｂとで構成したが、調整面２６ｂは、更に区画して複数設けてもよい。
【００４１】
さらにまた、輸送箱１０の断面形状は４角形状に限られず、３以上の多角形状であればよく、その角数は化粧箱２Ａ，２Ｂの断面形状に合わせることが好ましい。
【００４２】
【発明の効果】
以上の説明から明らかなように、本発明の輸送箱では、少なくとも２以上の側壁の上端に、該側壁に連続する連続面と、該連続面と連続する調整面とからなる緩衝部を連設しているため、または、少なくとも２以上の側壁に、内向きに折り曲げて内部に収容した前記化粧箱の外側面を押圧する緩衝用切起部を設けているため、化粧箱の形状差を吸収し、異なる大きさの化粧箱を確実に収容することができる。
【００４３】
また、その収容状態では、前記緩衝部または緩衝用切起部により、輸送箱の側方から加わる衝撃や、輸送中に生じる振動を吸収することができる。そのため、衝撃や振動により、内部に収容させた商品が破損することを防止でできる。
【図面の簡単な説明】
【図１】（Ａ），（Ｂ）は異なる大きさの化粧箱を収容した第１実施形態の輸送箱を示す断面図である。
【図２】（Ａ），（Ｂ）は図１（Ａ），（Ｂ）の横断面図である。
【図３】（Ａ）は底面を閉塞する一工程を示す斜視図、（Ｂ）は組立状態を示す斜視図である。
【図４】第１実施形態の輸送箱の展開状態を示す平面図である。
【図５】（Ａ），（Ｂ）は異なる大きさの化粧箱を収容した第２実施形態の輸送箱を示す断面図である。
【図６】（Ａ）は第２実施形態の輸送箱の展開状態を示す平面図、（Ｂ）は内部に配置する仕切部材の平面図である。
【符号の説明】
１…商品、２Ａ，２Ｂ…化粧箱、１０…輸送箱、１１Ａ〜１１Ｄ…側壁、１５Ａ〜１５Ｃ…積層フラップ、１６…底蓋、２１…天蓋、２６Ａ〜２６Ｃ…緩衝部、２６ａ…連続面、２６ｂ…調整面、３２…緩衝用切起部。
【図１】
2004224373.tif 000003
【図２】
2004224373.tif 000004
【図３】
2004224373.tif 000005
【図４】
2004224373.tif 000006
【図５】
2004224373.tif 000007
【図６】
2004224373.tif 000008